(57)【特許請求の範囲】
【請求項１】
光信号伝送を行う親局と複数の子局との間に中継器を設け、前記親局が前記子局又は前記中継器の状態を監視する光ＲＦ変換伝送システムであって、
前記親局は、特定子局又は前記中継器に対して状態の監視を要求する監視制御命令を送信する際に、監視対象の装置と、前記監視制御命令が前記監視対象の装置に転送されるまでの経由対象の装置とを指定して送信する親局であり、
前記子局は、前記親局から前記監視制御命令を受信すると、監視対象の装置が自己であり、且つ経由対象の装置が自己でない場合には、当該子局の状態を示す子局状態情報を前記中継器に送信し、監視対象の装置が自己ではなく、且つ経由対象の装置が自己である場合には、前記受信した監視制御命令を前記中継器に送信する子局であり、
前記中継器は、前記子局から前記監視制御命令を受信すると、監視対象の装置が自己である場合には、当該中継器の状態を示す中継器状態情報を前記親局に送信し、前記子局から前記子局状態情報を受信すると、前記受信した子局状態情報を前記親局に送信する中継器であることを特徴とする光ＲＦ変換伝送システム。
【請求項２】
親局に直接子局が接続される構成を付加し、
前記親局は、特定子局に対して状態の監視を要求する監視制御命令を送信する際には、監視対象の装置及び経由対象の装置として前記特定子局を指定して送信する親局であり、
前記子局は、前記親局から前記監視制御命令を受信すると、監視対象の装置及び経由対象の装置が自己である場合には、当該子局の状態を示す子局状態情報を前記親局に送信する子局であることを特徴とする請求項１記載の光ＲＦ変換伝送システム。
【発明の詳細な説明】
【０００１】
【発明の属する技術分野】
本発明は、光ＲＦ（Radio Frequency ：無線周波数）変換伝送における光ＲＦ変換伝送システムに係り、特に、施設費用を抑え、且つ効率よく安定したシステム運用を実現する光ＲＦ変換伝送システムに関する。
【０００２】
【従来の技術】
従来の光ＲＦ変換伝送システムについて図９を用いて説明する。図９は、従来の光ＲＦ変換伝送システムの構成ブロック図である。
従来の光ＲＦ変換伝送システムは、図９に示すように、ＲＦ基地局（図ではＢＴＳ）１と、ＲＦ伝送装置メインユニット（親局）（図ではＭ／Ｕ）２″と、ＲＦ伝送装置メインユニット（子局）（図ではＳ／Ｕ）３″とから構成されている。
【０００３】
ＢＴＳ１とＭ／Ｕ２″とは同軸ケーブルで結ばれており、電気信号による通信が行われ、Ｍ／Ｕ２″とＳ／Ｕ３″とは２本の光ケーブルで結ばれており光信号による通信が行われる。
Ｍ／Ｕ２″とＳ／Ｕ３″とを結ぶ２本の光ケーブルはそれぞれ、Ｍ／Ｕ２″からＳ／Ｕ３″の方向へ光信号を送信するための下り光回線と、Ｓ／Ｕ３″からＭ／Ｕ２″の方向へ光信号を送信するための上り光回線として用いられる。
【０００４】
そして、上記光ＲＦ変換伝送システムにおいて、Ｍ／Ｕ２″とＳ／Ｕ３″との間の光伝送距離は、それぞれ上り方向のＳ／Ｕ３″のＲＦ出力、あるいは下り方向のＭ／Ｕ２″のＲＦ出力の大きさと、光回線のロスにより決定される。
例えば、図９（ａ）に示すように、Ｍ／Ｕ２″とＳ／Ｕ３″との間の距離が比較的近い場合（図では、例えば１０ｋｍ）には、標準出力のＭ／Ｕ２″ａ及びＳ／Ｕ３″ａで良いが、図９（ｂ）に示すように、Ｍ／Ｕ２″とＳ／Ｕ３″との間の距離が比較的遠い場合（図では、例えば１５ｋｍ）には、高出力のＭ／Ｕ２″ｂ及びＳ／Ｕ３″ｂが必要となる。
【０００５】
また、上記ＲＦ変換伝送システムにおいて、１台のＭ／Ｕ２″に対して複数のＳ／Ｕ３″を接続するスター接続型の光ＲＦ変換伝送システムがある。
スター接続型の光ＲＦ変換伝送システムでは、Ｍ／Ｕ２″内で電気信号を分配して光信号に変換し、複数のＳ／Ｕ３″宛に送信し、また複数のＳ／Ｕ３″から送信された光信号を電気信号に変換し、合成して扱うようになっている。
【０００６】
そして、スター接続型の光ＲＦ変換伝送システムでは、各Ｓ／Ｕ３″の運用状態の管理や制御を行うため、Ｍ／Ｕ２″と各Ｓ／Ｕ３″の間で光伝送路を用いて状態監視のための通信を行っている。これを親子通信と呼ぶ。上記システムでは、親子通信を行うにあたり伝走路が半２重のため、通常Ｍ／Ｕ２″から特定のＳ／Ｕ３″の状態監視の為の通信を行うポーリング方式を採用している。
すなわち、Ｍ／Ｕ２″が状態監視を行うＳ／Ｕ３″に対して状態の問い合わせ信号（監視制御命令）を送信し（ポーリング）、監視制御命令を受信したＳ／Ｕ３″が、そのときのＳ／Ｕ３″の状態を状態応答電文にしてＭ／Ｕ２″に返送することによって、Ｍ／Ｕ２″がＳ／Ｕ３″の状態を監視するものである。
【０００７】
次に、従来の親子通信を行うためのＭ／Ｕ２″とＳ／Ｕ３″との構成を図１０を用いて説明する。図１０は、従来の親子通信を実現するためのＭ／Ｕ２″とＳ／Ｕ３″の構成ブロック図である。
図１０に示すように、従来の親子通信を実現するためのＭ／Ｕ２″は、マイコン２１″と、複数のＥ／Ｏ変換器２２と、複数のＯ／Ｅ変換器２３と、信号分配器２４と、信号合成器２５とを備えている。
また、Ｓ／Ｕ３″は、図１０に示すように、マイコン３１″と、Ｏ／Ｅ変換器３２と、Ｅ／Ｏ変換器３３とを備えている。
【０００８】
図１０における各部を具体的に説明する。
マイコン２１″は、親子通信の制御を司るマイクロコンピュータであり、親子通信に関する制御信号（監視制御命令）を信号分配器２４に出力すると共に、光信号合成器２５からの信号（状態応答信号）を入力して親子通信に関する処理を行う。
【０００９】
信号分配器２４は、マイコン２１″から出力された電気信号を各Ｓ／Ｕ３″に分配する。
Ｅ／Ｏ変換器２２は、信号分配器２４において分配された電気信号を下り光信号に変換して各Ｓ／Ｕ３″に送信する。
Ｏ／Ｅ変換器２３は、各Ｓ／Ｕ３″から送信された上り光信号を電気信号に変換して光信号合成器２５に出力する。
光信号合成器２５は、各々のＥ／Ｏ変換器２３において変換された電気信号を合成してマイコン２１″に出力する。
【００１０】
また、各Ｓ／Ｕ３″のＯ／Ｅ変換器３２は、Ｍ／Ｕ２″から送信された下り光信号を電気信号に変換してマイコン３１″に出力する。
マイコン３１″は、Ｍ／Ｕ２″からの親子通信に関する制御信号（監視制御命令）に基づいてＳ／Ｕ３″内を制御し、それに対応する信号（状態応答電文）を生成してＥ／Ｏ変換器３３に出力する。
Ｅ／Ｏ変換器３３は、マイコン３１″から出力された電気信号を上り光信号に変換してＭ／Ｕ２″に向けて送信する。
尚、Ｍ／Ｕ２″に接続している他のすべてのＳ／Ｕ３″についても、上記と同一の構成となっている。
【００１１】
次に、図１０を用いて、従来のポーリング方式による親子通信の動作について説明する。
Ｍ／Ｕ２″は、各Ｓ／Ｕ３″に対して行う監視制御命令をマイコン２１″において設定し、電気信号として信号分配器２４に送信する。
監視制御命令の信号は、信号分配器２４において各Ｓ／Ｕ３″に対応したＥ／Ｏ変換器２２に分配された後、Ｅ／Ｏ変換器２２で光信号に変換され、光ケーブルを通って各Ｓ／Ｕ３″に送信される。
【００１２】
Ｓ／Ｕ３″では、監視制御命令の信号がまずＯ／Ｅ変換器３２によって電気信号に変換され、マイコン３１″に出力される。
マイコン３１″は、入力した監視制御命令に基づいて、Ｓ／Ｕ３″の状態を監視し、その監視結果である子局状態情報を生成し、状態応答電文の電気信号としてＥ／Ｏ変換器３３に出力する。
ここで子局状態情報には、どのＳ／Ｕ３″から送信されたかが判別できるよう、子局状態情報が送信されたＳ／Ｕ３″の識別情報が含まれている。
子局状態情報は、Ｅ／Ｏ変換器３３において光信号に変換され、光ケーブルを通ってＭ／Ｕ２″に送信される。
【００１３】
Ｍ／Ｕ２″では、子局状態情報がＯ／Ｅ変換器２３によって電気信号に変換され、他のＳ／Ｕ３″から送信された子局状態情報と共に信号合成器２５によって合成され、マイコン２１″に出力される。
マイコン２１″は、入力した子局状態情報を基に、各Ｓ／Ｕ３″の運用状況や故障の有無を確認することが可能である。
以上が従来のポーリング方式による親子通信の動作である。
【００１４】
尚、光ＲＦ変換伝送システムに関する従来技術としては、平成１２年１０月１３日公開の特開２０００−２８６８０２号「アナログ光伝送中継器とそれを用いたアナログ光伝送システム」（出願人：国際電気株式会社、発明者：谷口郁夫他）がある。
この従来技術は、子局からの光ファイバ回線に接続された光−電気変換手段が、送られてくるＲＦ信号と音声帯域信号とを分離し、電気信号に変換し、ＲＦ増幅手段及び再送信増幅手段が各々増幅し、駆動制御部が親局へ光信号を伝送する電気／光変換手段を駆動する直流電流に前記増幅された信号を重畳して、子局からの伝送信号をソフト制御無しに親局に中継するアナログ光伝送中継器であり、これにより、子局からの制御信号を親局に中継するためにソフト制御を行うこと無く、再送信することのできるものである。
【００１５】
【発明が解決しようとする課題】
しかしながら、上記従来の光ＲＦ変換伝送システムでは、Ｍ／Ｕ２″とＳ／Ｕ３″の間の距離が比較的近い場合には標準出力のＭ／Ｕ２″ａ及びＳ／Ｕ３″ａで構成するが、その距離が比較的遠い場合には、より大きい出力（高出力）のＭ／Ｕ２″ｂとＳ／Ｕ３″ｂとが必要になり、装置開発費が嵩み、高出力の装置は値段が高額となるという問題点があった。また、Ｍ／Ｕ２″とＳ／Ｕ３″との間の距離に応じて、出力の異なる各装置を用意しなくてはならないため、施設の構成を検討する際の柔軟性に欠けるという問題点があった。
そして、更にスター接続型の光ＲＦ変換伝送システムでは、Ｍ／Ｕ２″と各Ｓ／Ｕ３″が離れている場合には、より長い光ケーブルを相当数必要とするため、光ケーブルの施設に多大な時間、労力及び費用を要するという問題点があった。
【００１６】
本発明は上記実情に鑑みて為されたもので、中継器を設置することで光ケーブルの施設を容易にし、更に保守・点検コストを低減し、安定した運用を行うと共に、施設費用を抑え、効率の良い安定したシステム運用を実現することができる中継器接続型システムを提供することを目的とする。
【００１７】
【課題を解決するための手段】
上記従来例の問題点を解決するための本発明は、光信号伝送を行う親局と複数の子局との間に中継器を設け、親局が子局又は中継器の状態を監視する光ＲＦ変換伝送システムであって、
親局は、特定子局又は中継器に対して状態の監視を要求する監視制御命令を送信する際に、監視対象の装置と、監視制御命令が監視対象の装置に転送されるまでの経由対象の装置とを指定して送信する親局であり、
子局は、親局から監視制御命令を受信すると、監視対象の装置が自己であり、且つ経由対象の装置が自己でない場合には、当該子局の状態を示す子局状態情報を中継器に送信し、監視対象の装置が自己ではなく、且つ経由対象の装置が自己である場合には、受信した監視制御命令を中継器に送信する子局であり、
中継器は、子局から監視制御命令を受信すると、監視対象の装置が自己である場合には、当該中継器の状態を示す中継器状態情報を親局に送信し、子局から子局状態情報を受信すると、受信した子局状態情報を親局に送信する中継器であることを特徴としており、
監視対象の装置だけが状態監視を行い、効率の良く状態監視を行うことができる。
【００１８】
上記従来例の問題点を解決するための本発明は、請求項１記載の光ＲＦ変換伝送システムにおいて、
親局に直接子局が接続される構成を付加し、
親局は、特定子局に対して状態の監視を要求する監視制御命令を送信する際には、監視対象の装置及び経由対象の装置として特定子局を指定して送信する親局であり、
子局は、親局から監視制御命令を受信すると、監視対象の装置及び経由対象の装置が自己である場合には、当該子局の状態を示す子局状態情報を親局に送信する子局であること特徴としており、
システム構成が直結型であっても中継器接続型であっても同様の設備及び制御で親子通信を実現し、施設費用を軽減し、効率の良い安定したシステム運用を実現することができる。
【００１９】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００２０】
本発明の実施の形態に係る中継器接続型システムは、光信号伝送を行う親局と複数の子局との間に中継器を設け、親局が、特定子局又は中継器に対して状態の監視を要求する監視制御命令を送信する際に、監視対象の装置と、監視制御命令を監視対象の装置に転送する経由対象の装置とを指定して送信し、子局が、親局から監視制御命令を受信すると、監視対象の装置が自己である場合には、当該子局の状態を示す子局状態情報を中継器に送信し、監視対象の装置が自己ではなく、且つ経由対象の装置が自己である場合には、受信した監視制御命令を中継器に送信し、中継器が、子局から監視制御命令を受信すると、監視対象の装置が自己である場合には、当該中継器の状態を示す中継器状態情報を親局に送信し、子局から子局状態情報を受信すると、受信した子局状態情報を親局に送信し、そして親局が子局と中継器の状態を監視するものである。
これにより、光ケーブル施設を容易にし、更に保守・点検コストを低減し、効率よく安定した運用を行うことができる。
【００２１】
尚、本発明の実施の形態における各部と図４の各部との対応を示すと、親局はＭ／Ｕ２′に相当し、中継器はＨ／Ｕ１０′に相当し、子局は、Ｓ／Ｕ３′に相当している。
【００２２】
まず、本発明の実施の形態に係る光ケーブル施設を容易にし、保守・点検コストを低減した中継器接続型システムについて図１を用いて説明する。図１は、本発明の実施の形態に係る中継器接続型システムの構成ブロック図である。尚、図９、図１０と同様の構成をとる部分については同一の符号を付して説明する。
本実施の形態に係る中継器接続型システム（本システム）は、図１に示すように、ＲＦ基地局（ＢＴＳ）１と、親局（Ｍ／Ｕ）２と、中継器（Ｈ／Ｂ）１０と、複数の子局（Ｓ／Ｕ）３とから構成されている。
ＢＴＳ１とＭ／Ｕ２とが２本の同軸ケーブルで結ばれているのは従来のスター接続型システムと同じであるが、Ｍ／Ｕ２と各Ｓ／Ｕ３との間にはＨ／Ｕ１０が設けられ、Ｍ／Ｕ２、各Ｓ／Ｕ３がＨ／Ｕ１０とそれぞれ２本の光ケーブルで結ばれている点が従来と異なる。
【００２３】
本システムにおいても、各装置の運用状態を管理し、またはＳ／Ｕ３を制御するために光伝送路を使用してＭ／Ｕ２とＳ／Ｕ３の間で状態監視のための親子通信が行われる。
本システムにおける親子通信でもポーリング方式が用いられているが、Ｍ／Ｕ２から特定のＳ／Ｕ３に対して監視制御命令を送信し、特定のＳ／Ｕ３から監視結果情報を受信する際に、Ｈ／Ｕ１０の監視結果情報も得られることを特徴としている。
【００２４】
次に、本システムにおいて親子通信を実現するＭ／Ｕ２、Ｓ／Ｕ３及びＨ／Ｕ１０の構成を図２を用いて説明する。図２は、本システムにおける親子通信を実現するＭ／Ｕ２、Ｓ／Ｕ３及びＨ／Ｕ１０の構成ブロック図である。
Ｍ／Ｕ２には、親子通信の制御を司るマイコン２１、マイコン２１から出力された電気信号を下り光信号に変換するＥ／Ｏ変換器２２と、Ｈ／Ｕ１０から送信された上り光信号を電気信号に変換するＯ／Ｅ変換器２３とが装備されている。図２において、Ｏ／Ｅ変換器２３で変換された電気信号はマイコン２１に出力され、マイコン２１から出力された電気信号はＥ／Ｏ変換器２２に送信される。
【００２５】
Ｈ／Ｕ１０に装備されている機器は機能上、上り光信号と下り光信号を制御する部分にそれぞれ分類できる。
上り光信号制御部分は、Ｈ／Ｕ１０の動作状況を監視し、中継器状態情報を出力するマイコン１１と、各Ｓ／Ｕ３から送信された下り光信号を電気信号に変換する複数のＯ／Ｅ変換器１３と、各々のＥ／Ｏ変換器１３において変換された電気信号を合成する信号合成器１４と、マイコン１１から出力された電気信号を上り光信号に変換するＥ／Ｏ変換器１５から構成される。
光信号合成器１４で合成された電気信号はマイコン１１に出力され、マイコン１１から出力された電気信号はＥ／Ｏ変換器１５に送信される。
【００２６】
下り光信号制御部分は、Ｍ／Ｕ２から送信された下り光信号を各Ｓ／Ｕ３に分配する光信号分配器１２で構成される。つまり、Ｈ／Ｕ１０では下り光信号は電気信号に変換されることなく各Ｓ／Ｕ３に送信される。
尚、各Ｓ／Ｕ３に装備されている機器は、従来のスター接続型システムの場合と同一であるため説明は省略する。
【００２７】
次に、図２を用いて、本システムのポーリング方式による親子通信の動作について説明する。
Ｍ／Ｕ２では、各Ｓ／Ｕ３に対して行う監視制御命令がマイコン２１において設定され、電気信号として出力され、Ｅ／Ｏ変換器２２で、光信号に変換され、光ケーブルを通ってＨ／Ｕ１０に送信される。
Ｈ／Ｕ１０では、監視制御命令の信号が下り光信号制御部分の光信号分配器１２に送信され、光ケーブルを通って各Ｓ／Ｕ３に分配される。
Ｓ／Ｕ３では、監視制御命令の信号がまずＯ／Ｅ変換器３２によって電気信号に変換されて、マイコン３１に出力され、マイコン３１で、入力した監視制御命令に基づいて、Ｓ／Ｕ３の状態を監視し、その監視結果である子局状態情報が生成され、電気信号としてＥ／Ｏ変換器３３に出力され、Ｅ／Ｏ変換器３３で光信号に変換され、光ケーブルを通ってＨ／Ｕ１０に送信される。
【００２８】
Ｈ／Ｕ１０では、子局状態情報が上り光信号制御部分に送信され、まずＯ／Ｅ変換器１３によって電気信号に変換され、他のＳ／Ｕ３から送信された子局状態情報と共に信号合成器１４によって合成され、マイコン１１に出力される。
マイコン１１は、子局状態情報を入力すると、中継器（Ｈ／Ｕ）１０の動作状況を監視し、その監視結果である中継器状態情報を子局状態情報に加えてＥ／Ｏ変換器１５に出力される。
ここで、中継器状態情報には、中継器から送信されたものと判別できるよう、Ｈ／Ｕ１０を識別する情報が含まれている。
Ｈ／Ｕ１０の中継器状態情報を含んだ子局状態情報は、Ｅ／Ｏ変換器１５によって光信号に変換され、光ケーブルを通ってＭ／Ｕ２に送信され、Ｍ／Ｕ２では、中継器状態情報を含んだ子局状態情報がＯ／Ｅ変換器２３によって電気信号に変換され、マイコン２１に出力され、マイコン２１で、入力した子局状態情報及び中継器状態情報を基に、各Ｓ／Ｕ３及び中継器１０の運用状況や故障の有無を確認する。以上が本システムの親子通信の動作である。
【００２９】
本システムによれば、Ｍ／Ｕ２と各Ｓ／Ｕ３との間に各Ｓ／Ｕ３の監視結果情報を合成してＭ／Ｕ２に送信するＨ／Ｕ１０を設けたことにより、光ケーブル施設の労力及び費用を低減できる効果がある。特にＭ／Ｕ２と各Ｓ／Ｕ３との間が遠距離である場合、効果は顕著である。
【００３０】
また、Ｈ／Ｕ１０で各Ｓ／Ｕ３の状態情報を合成する際に、Ｈ／Ｕ１０の状態情報をも加えて合成することにより、Ｓ／Ｕ３の状態監視と同時にＨ／Ｕ１０の状態監視を行うことができるため、Ｍ／Ｕ２からの監視制御命令の送信回数を低減でき、結果として送信費用を低減でき、Ｓ／Ｕ３及びＨ／Ｕ１０の保守・点検を効率的に行うことができ、かつ安定した運用を行うことができ効果がある。
【００３１】
上記説明した中継器接続型システムでは、Ｍ／Ｕ２からＳ／Ｕ３宛に監視制御命令が送信されると、それに対する状態情報に対して、必ずＨ／Ｕ１０の状態監視が行われて、Ｈ／Ｕ１０における状態情報が付加されてＭ／Ｕ２に返送されるため、Ｈ／Ｕ１０の状態監視が不要の場合であっても必ず状態監視処理が行われることになり、効率が悪い。
更に、図１に示したスター接続型の光ＲＦ変換伝送システムでは、Ｈ／Ｕ１０の下に複数のＳ／Ｕ３が接続されているため、各Ｓ／Ｕ３宛に個別に監視制御命令が送信されるような場合には、その都度Ｈ／Ｕ１０の状態監視が行われて、Ｈ／Ｕ１０における状態情報が付加されてＭ／Ｕ２に返送されるため、大変効率が悪い。
また、特定のＳ／Ｕ３を指定せずに、全てのＳ／Ｕ３を対象に監視制御命令が送信されるような場合には、Ｈ／Ｕ１０の状態監視は１回でよいが、逆に各Ｓ／Ｕ３に対して個別の状態監視は行えない。
【００３２】
そこで、Ｈ／Ｕ１０に対しても必要なときに、また各Ｓ／Ｕ３に対して個別に効率よく状態監視の親子通信を行うことができ、更に、Ｈ／Ｕ１０が接続されていない直結型の構成であっても、Ｈ／Ｕ１０で中継する中継器接続型システムであっても、そのまま適応できる光ＲＦ変換伝送システムについて説明する。
まず、本発明の光ＲＦ変換伝送システムの接続形態の概略について、図３を使って説明する。図３は、本発明の光ＲＦ変換伝送システムの接続形態を示すブロック図である。
本発明の光ＲＦ変換伝送システムは、図３（ａ）に示すように、ＲＦ基地局（図ではＢＴＳ）１と、ＲＦ伝送装置メインユニット（親局）（図ではＭ／Ｕ）２′と、ＲＦ伝送装置メインユニット（子局）（図ではＳ／Ｕ）３′とから構成され、Ｍ／Ｕ２′とＳ／Ｕ３′との距離が比較的近い場合の直結型システムと、図３（ｂ）に示すように、Ｍ／Ｕ２′とＳ／Ｕ３′との距離が比較的遠い場合で、間にＨ／Ｕ１０′を設けた中継器接続型システムの２種類がある。
尚、図３（ａ）、（ｂ）双方とも、Ｓ／Ｕ３′が複数接続されているスター接続型であっても同様である。
【００３３】
本システムにおいても、各装置の運用状態を管理し、またはＳ／Ｕ３′を制御するために光伝送路を使用してＭ／Ｕ２′とＳ／Ｕ３′の間で状態監視のための親子通信が行われる。
本システムにおける親子通信でもポーリング方式が用いられているが、Ｍ／Ｕ２′から特定のＳ／Ｕ３′宛又はＨ／Ｕ１０′宛で監視制御命令が送信され、監視制御命令の宛先である特定のＳ／Ｕ３′又はＨ／Ｕ１０′が監視結果の状態情報を作成して状態応答電文としてＭ／Ｕ２′に送信することを特徴としており、更にＭ／Ｕ２′とＳ／Ｕ３′との直結型構成であっても、Ｍ／Ｕ２′とＳ／Ｕ３′との間にＨ／Ｕ１０′を設けた中継器接続型であっても、同様の制御で親子通信を実現できることを特徴としている。
【００３４】
次に、本システムにおいて効率よく親子通信を実現するＭ／Ｕ２′、Ｓ／Ｕ３′及びＨ／Ｕ１０′の構成を図４を用いて説明する。図４は、本システムにおいて効率よく親子通信を実現するＭ／Ｕ２′、Ｓ／Ｕ３′及びＨ／Ｕ１０′の構成ブロック図である。
図４のＭ／Ｕ２′には、親子通信の制御を司るマイコン２１′と、マイコン２１′から出力された電気信号を下り光信号に変換するＥ／Ｏ変換器２２と、Ｈ／Ｕ１０から送信された上り光信号を電気信号に変換するＯ／Ｅ変換器２３とが装備され、更に配下のシステム構成（ユニット構成）が直結型（図３（ａ））か中継器接続型（図３（ｂ））かを切り換えるユニット選択ＳＷ２９を備えている。
【００３５】
なお、図４において、Ｏ／Ｅ変換器２３で変換された電気信号はマイコン２１′に出力され、マイコン２１′から出力された電気信号はＥ／Ｏ変換器２２に送信されるが、図４におけるマイコン２１′のポーリング方式で監視制御命令を送信する送信制御方法が、図２のマイコン２１とは異なっている。
尚、マイコン２１′における親子通信の制御は、ＣＰＵ内で実行されるプログラムで実現されるため、実行プログラムが図２のマイコン２１とは異なることになる。詳細は、後述する。
【００３６】
また、図４では、Ｍ／Ｕ２′内にマイコン２１′とは別構成でユニット選択ＳＷ２９を設け、直結型と中継器接続型との切替を行うように記載しているが、マイコン２１′で行う親子通信の制御処理で用いる記憶部（図示せず）内に、直結型であるか中継器接続型であるかを示すデータを記憶させるようにしても構わない。
【００３７】
Ｈ／Ｕ１０′に装備されている機器は機能上、上り光信号と下り光信号を制御する部分にそれぞれ分類でき、下り光信号制御部分は、図２のＨ／Ｕ１０と同様で、Ｍ／Ｕ２から送信された下り光信号を各Ｓ／Ｕ３に分配する光信号分配器１２で構成され、Ｈ／Ｕ１０′では下り光信号は電気信号に変換されることなく各Ｓ／Ｕ３′に送信される。
【００３８】
一方、上り光信号制御部分は、構成要素としては、図２のＨ／Ｕ１０と同様で、マイコン１１′と、各Ｓ／Ｕ３′から送信された下り光信号を電気信号に変換する複数のＯ／Ｅ変換器１３と、各々のＥ／Ｏ変換器１３において変換された電気信号を合成する信号合成器１４と、マイコン１１′から出力された電気信号を上り光信号に変換するＥ／Ｏ変換器１５であり、図２のＨ／Ｕ１０と同様であるが、但し、マイコン１１′における親子通信の制御方法が図２のマイコン１１とは異なっている。
尚、マイコン１１′における親子通信の制御は、ＣＰＵ内で実行されるプログラムで実現されるため、実行プログラムが図２のマイコン１１とは異なることになる。詳細は、後述する。
【００３９】
各Ｓ／Ｕ３には、構成要素としては図２のＳ／Ｕ３と同様で、マイコン３１′と、下り光信号を電気信号に変換するＯ／Ｅ変換器３２と、マイコン３１から出力された電気信号を上り光信号に変換するＥ／Ｏ変換器３３とであり、図２のＳ／Ｕ３と同様であるが、但し、マイコン３１′における親子通信の制御方法が図２のマイコン３１とは異なっている。
尚、マイコン３１′における親子通信の制御は、ＣＰＵ内で実行されるプログラムで実現されるため、実行プログラムが図２のマイコン３１とは異なることになる。詳細は、後述する。
【００４０】
要するに、図４に示した本発明の中継器接続型システムは、Ｍ／Ｕ２′、Ｈ／Ｕ１０′、Ｓ／Ｕ３′における親子通信のための制御方法が図２の中継器接続型システムにおける親子通信のための制御方法と異なっている。
図４に示した本発明の中継器接続型システムでは、Ｍ／Ｕ２′で監視制御命令として、監視制御命令の宛先である要求対象装置と、監視制御命令の経由装置である経由対象装置の識別子を含む監視制御命令を生成して送信する。この時、Ｍ／Ｕ２′では、配下のユニット構成を把握し、把握した構成に従って要求対象装置と経由対象装置を設定するようになっている。
【００４１】
まず、Ｍ／Ｕ２′におけるマイコン２１′の親子通信の監視制御命令の送信制御方法について、図５を使って説明する。図５は、本発明のＭ／Ｕ２′におけるマイコン２１′の親子通信の監視制御命令の送信制御処理の流れを示すフローチャート図である。
本発明のＭ／Ｕ２′におけるマイコン２１′の親子通信の監視制御命令の送信制御処理の流れは、まず、ユニット選択ＳＷ２９の状態によって、配下のユニット構成を把握し、（１００）、直結型であるかＨ／Ｕ１０′がある中継器接続型であるかを判断し（１０２）、Ｈ／Ｕ１０′がある場合（Ｙｅｓ）には、監視制御命令送信（ポーリング）の対象（宛先）がＳ／Ｕ３′であるか判断し（１０４）、宛先がＳ／Ｕ３′である場合（Ｙｅｓ）には、ポーリングの要求対象装置としてＳ／Ｕ３′の識別子を指定し（１０６）、監視制御命令のポーリング信号を送信し（１０８）、ポーリング処理を終了する。
【００４２】
一方処理１０４において、ポーリングの対象（宛先）がＳ／Ｕ３′でない場合、すなわち宛先がＨ／Ｕ１０′である場合（Ｎｏ）には、ポーリングの要求対象装置としてＨ／Ｕ１０′の識別子を指定し（１１０）、ポーリングの経由対象装置として特定のＳ／Ｕ３′の識別子を指定し（１１２）、監視制御命令のポーリング信号を送信し（１０８）、ポーリング処理を終了する。
【００４３】
更に、処理１０２において、Ｈ／Ｕ１０′がある中継器接続型でない、すなわち直結型の場合（Ｎｏ）は、ポーリングの要求対象装置としてＳ／Ｕ３′の識別子を指定し（１２０）、ポーリングの経由対象装置としても同様のＳ／Ｕ３′の識別子を指定し（１２２）、監視制御命令のポーリング信号を送信し（１０８）、ポーリング処理を終了する。
【００４４】
尚、上記説明では、処理１００において、ユニット選択ＳＷ２９の状態で配下のユニット構成を把握するように示したが、マイコン２１′内の記憶部にユニット構成を示すデータを記憶している場合には、当該記憶部のデータを読み込んで配下のユニット構成を把握する。
【００４５】
次に、Ｓ／Ｕ３′におけるマイコン３１′の親子通信の制御方法について、図６を使って説明する。図６は、本発明のＳ／Ｕ３′におけるマイコン３１′の親子通信の制御処理の流れを示すフローチャート図である。
本発明のＳ／Ｕ３′におけるマイコン３１′の親子通信の制御処理の流れは、まず、監視制御命令のポーリング信号を受信し（２００）、監視制御命令の要求対象装置が自分であるか判断し（２０２）、監視制御命令の要求対象が自分である場合（Ｙｅｓ）には、Ｓ／Ｕ３′の状態を監視し、その監視結果である子局状態情報を状態応答電文として作成する（２０４）。
【００４６】
そして、監視制御命令の経由対象装置が自分であるか判断し（２０５）、監視制御命令の経由対象が自分でない場合（Ｎｏ）には、中継器接続型であるので状態応答電文の送信先をＨ／Ｕ１０′とし（２０６）、監視制御命令の経由対象が自分である場合（Ｙｅｓ）には、直結型であるので状態応答電文の送信先をＭ／Ｕ２′として（２０７）、処理２０６又は処理２０７の後に、状態応答電文を送信し（２０８）、親子通信の制御処理を終了する。
【００４７】
一方、処理２０２において、監視制御命令の要求対象が自分でない場合（Ｎｏ）には、監視制御命令の経由対象が自分であるか判断し（２１０）、経由対象が自分である場合（Ｙｅｓ）には、受信した監視制御命令をそのままスルーして送信し（２１２）、親子通信の制御処理を終了する。
また、処理２１０において、監視制御命令の経由対象装置が自分でない場合（Ｎｏ）には、そのまま受信した監視制御命令のポーリング信号は破棄して親子通信の処理を終了する。
【００４８】
次に、Ｈ／Ｕ１０′におけるマイコン１１′の親子通信の制御方法について、図７を使って説明する。図７は、本発明のＨ／Ｕ１０′におけるマイコン１１′の親子通信の制御処理の流れを示すフローチャート図である。
本発明のＨ／Ｕ１０′におけるマイコン１１′の親子通信の制御処理の流れは、まず、Ｓ／Ｕ３′からの信号を受信し（３００）、受信した信号が状態応答電文であるか判断し（３０２）、状態応答電文でない場合（Ｎｏ）は、監視制御命令のポーリング信号であるか判断し（３０４）、ポーリング信号である場合（Ｙｅｓ）には、ポーリング信号の要求対象が自分であるか判断し（３０６）、自分である場合（Ｙｅｓ）には、Ｈ／Ｕ１０′の状態を監視し、その監視結果である中継器状態情報を状態応答電文として作成し（３０８）、状態応答電文をＭ／Ｕ２′に送信し（３１０）、親子通信の制御処理を終了する。
【００４９】
一方、処理３０２において、受信信号が状態応答電文である場合（Ｙｅｓ）は、受信した状態応答電文をそのままスルーしてＭ／Ｕ２′に送信し（３２０）、親子通信の制御処理を終了する。
また、処理３０４においてポーリング信号でない場合（Ｎｏ）、及び処理３０６において、ポーリング信号の要求対象が自分でない場合（Ｎｏ）には、そのまま受信した信号は破棄して親子通信の処理を終了する。
【００５０】
次に、図４に示した光ＲＦ変換伝送システムの動作について、図８を用いて説明する。図８は、本発明の光ＲＦ変換伝送システムの動作例を示す説明図である。
本発明の光ＲＦ変換伝送システムでは、Ｍ／Ｕ２′の配下のユニット構成が図３（ｂ）に示すように、Ｈ／Ｕ１０′がある中継器接続型である場合に、Ｈ／Ｕ１０′の監視を行う場合、図８（ａ）に示すように、Ｍ／Ｕ２′から要求対象装置としてＨ／Ｕ１０′、経由対象装置として特定のＳ／Ｕ３′が設定された監視制御命令が送信される。
【００５１】
そして、監視制御命令を受け取ったＳ／Ｕ３′では、経由対象装置として自分（Ｓ／Ｕ３′）が設定され、要求対象がＨ／Ｕ１０′であるので、監視制御命令は、そのままスルーされてＨ／Ｕ１０′に送られ、Ｈ／Ｕ１０′で、Ｈ／Ｕ１０′の状態が監視され、その監視結果である中継器状態情報が状態応答電文として作成され送信されて、Ｍ／Ｕ２′で受信した中継器状態情報を基に、Ｈ／Ｕ１０′の運用状況や故障の有無を確認する。
【００５２】
一方、Ｍ／Ｕ２′の配下のユニット構成が図３（ｂ）に示すように、Ｈ／Ｕ１０′がある中継器接続型で、Ｓ／Ｕ３′の監視を行う場合、図８（ｂ）に示すように、Ｍ／Ｕ２′から要求対象装置としてＳ／Ｕ３′が設定され、経由対象装置はなにも設定されず監視制御命令が送信される。
そして、監視制御命令を受け取ったＳ／Ｕ３′では、要求対象装置として自分（Ｓ／Ｕ３′）が設定されているので、Ｓ／Ｕ３′の状態が監視され、その監視結果である子局状態情報が状態応答電文として作成され、経由対象装置はなにも設定されていないので、状態応答電文がＨ／Ｕ１０′に送信され、Ｈ／Ｕ１０′で、状態応答電文は、そのままスルーされてＭ／Ｕ２′に送られ、Ｍ／Ｕ２′で受信した子局状態情報を基に、Ｓ／Ｕ３′の運用状況や故障の有無を確認する。
【００５３】
一方、Ｍ／Ｕ２′の配下のユニット構成が図３（ａ）に示すように、Ｈ／Ｕ１０′がない直結型で、Ｓ／Ｕ３′の監視を行う場合、図８（ｃ）に示すように、Ｍ／Ｕ２′から要求対象装置及び経由対象装置としてＳ／Ｕ３′が設定された監視制御命令が送信される。
そして、監視制御命令を受け取ったＳ／Ｕ３′では、要求対象装置として自分（Ｓ／Ｕ３′）が設定されているので、Ｓ／Ｕ３′の状態が監視され、その監視結果である子局状態情報が状態応答電文として作成され、経由対象装置として自分（Ｓ／Ｕ３′）が設定されているので、状態応答電文がＭ／Ｕ２′に送信され、Ｍ／Ｕ２′で受信した子局状態情報を基に、Ｓ／Ｕ３′の運用状況や故障の有無を確認する。
【００５４】
尚、図８（ａ），（ｂ），（ｃ）の各ケースにおいて、複数のＳ／Ｕ３′が接続されるスター接続型の場合においても、監視制御命令の要求対象装置が自分でないような監視制御命令を受信した場合には、その電文を破棄するようになっている。
【００５５】
本発明の光ＲＦ変換伝送システムによれば、中継器接続型の場合のポーリング方式の親子通信において、Ｍ／Ｕ２′が監視制御命令に要求対象装置と経由対象装置とを指定して送信し、経由対象装置として指定された装置は、監視制御命令をスルー送信し、要求対象装置として指定された装置だけが状態監視を行い、監視結果をＭ／Ｕ２′に返送するので、状態監視の対象でない装置への付加を軽減して効率よく状態監視を行うことができる効果がある。
【００５６】
具体的に、本発明の光ＲＦ変換伝送システムでは、監視対象がＳ／Ｕ３′の場合には、Ｍ／Ｕ２′が監視制御命令に要求対象装置としてＳ／Ｕ３′を指定して送信し、監視制御命令を受信したＳ／Ｕ３′が、状態監視を行い監視結果の子局状態情報を送信し、Ｈ／Ｕ１０′が子局状態情報をスルーしてＭ／Ｕ２′へ送信するので、Ｓ／Ｕ３′の監視を行いたいケースにおけるＨ／Ｕ１０′の負荷を軽減し、効率よく状態監視を行うことができる効果がある。
【００５７】
また、監視対象がＨ／Ｕ１０′の場合には、Ｍ／Ｕ２′が監視制御命令に要求対象装置としてＨ／Ｕ１０′を指定し、更に監視制御命令を転送してくれるＳ／Ｕ３′を経由対象装置として指定して送信し、経由対象装置として指定されたＳ／Ｕ３′が監視制御命令をＨ／Ｕ１０′へスルー送信し、監視制御命令を受信したＨ／Ｕ１０′が、状態監視を行い監視結果の中継器状態情報をＭ／Ｕ２′へ送信するので、Ｈ／Ｕ１０′の監視を行いたいケースにおけるＳ／Ｕ３′の負荷を軽減し、効率よく状態監視を行うことができる効果がある。
特に、スター接続型の構成においては複数のＳ／Ｕ３′が存在し、経由対象装置として特定のＳ／Ｕ３′を指定するので、経由対象外の装置の負荷を大幅に軽減でき、効率よく状態監視を行うことができる効果がある。
【００５８】
また別の観点から見ると、本発明の光ＲＦ変換伝送システムでは、Ｈ／Ｕ１０′が、監視制御命令を受信した場合には、要求対象装置として自分が指定されていると監視結果を送信し、要求対象装置として自分が指定されていなければ、監視制御命令を破棄し、また、監視結果を受信した場合には、当該監視結果をスルーしてＭ／Ｕ２′へ送信するので、Ｍ／Ｕ２′からＨ／Ｕ１０′の監視が要求された時だけ状態監視を行えばよく、Ｓ／Ｕ３′の状態監視に合わせて都度行うのに比べて、かなり効率よく状態監視を行うことができる効果がある。
【００５９】
また、スター接続型の構成においては複数のＳ／Ｕ３′が存在し、監視制御命令を受信したＳ／Ｕ３′が、要求対象装置として自分が指定されていると状態監視を行って監視結果を送信し、要求対象装置として自分が指定されておらず、経由対象装置として自分が指定されていると監視制御命令をスルーしてＨ／Ｕ１０′へ送信し、要求対象装置としても経由対象装置としても自分が指定されていない場合に、監視制御命令を破棄するので、自分に関係しない信号に対する処理が軽減されており、効率よく状態監視を行うことができる効果がある。
【００６０】
また、本発明の光ＲＦ変換伝送システムによれば、システム構成が直結型や中継器接続型のように多様化しても、Ｍ／Ｕ２′が監視制御命令を作成する際に、Ｍ／Ｕ２′の配下のユニット構成と監視対象とする装置の種類に応じて、監視制御命令に組み込む要求対象装置と経由対象装置を変更するだけの簡単な制御で、システム構成の多様化に柔軟に対応して効率よく状態監視を行うことができる効果がある。
つまり、図３（ａ）に示す直結型の構成であっても、また図３（ｂ）に示す中継器接続型の構成であってもＭ／Ｕ２′のマイコン２１′で実現される処理、Ｓ／Ｕ３′のマイコン３１′で実現される処理、Ｈ／Ｕ１０′のマイコン１１′で実現される処理が各々同一で良いため、構成に応じたシステム開発も不要であり、また構成に応じたメンテナンスも不要となるため、施設費用を軽減し、且つ安定したシステム運用を可能とすることができる効果がある。
【００６１】
【発明の効果】
本発明によれば、光信号伝送を行う親局と複数の子局との間に中継器を設け、親局は、特定子局又は中継器に対して状態の監視を要求する監視制御命令を送信する際に、監視対象の装置と、監視制御命令が監視対象の装置に転送されるまでの経由対象の装置とを指定して送信し、子局は、親局から監視制御命令を受信すると、監視対象の装置が自己であり、且つ経由対象の装置が自己でない場合には、当該子局の状態を示す子局状態情報を中継器に送信し、監視対象の装置が自己ではなく、且つ経由対象の装置が自己である場合には、受信した監視制御命令を中継器に送信し、中継器は、子局から監視制御命令を受信すると、監視対象の装置が自己である場合には、当該中継器の状態を示す中継器状態情報を前記親局に送信し、子局から子局状態情報を受信すると、受信した子局状態情報を親局に送信する光ＲＦ変換伝送システムとしているので、中継器接続型の通信システムの保守・点検において、監視対象の装置だけが状態監視を行い、状態監視を効率的に行うことができる効果がある。
【００６２】
本発明によれば、親局に直接子局が接続される構成を付加し、親局は、特定子局に対して状態の監視を要求する監視制御命令を送信する際には、監視対象の装置及び経由対象の装置として特定子局を指定して送信し、子局は、親局から監視制御命令を受信すると、監視対象の装置及び経由対象の装置が自己である場合には、当該子局の状態を示す子局状態情報を親局に送信する光ＲＦ変換伝送システムとしているので、システム構成が直結型であっても中継器接続型であっても同様の設備及び制御で親子通信を実現し、施設費用を軽減し、通信システムの保守・点検を効率的に行うことができ、かつ安定したシステム運用を実現できる効果がある。
【図面の簡単な説明】
【図１】本発明の実施の形態に係る中継器接続型システムの構成ブロック図である。
【図２】本システムにおける親子通信を実現するＭ／Ｕ、Ｓ／Ｕ及びＨ／Ｕの構成ブロック図である。
【図３】本発明の光ＲＦ変換伝送システムの接続形態を示すブロック図である。
【図４】本システムにおいて効率のよい親子通信を実現するＭ／Ｕ、Ｓ／Ｕ及びＨ／Ｕの構成ブロック図である。
【図５】本発明のＭ／Ｕにおけるマイコンの親子通信の監視制御命令の送信制御処理の流れを示すフローチャート図である。
【図６】本発明のＳ／Ｕにおけるマイコンの親子通信の制御処理の流れを示すフローチャート図である。
【図７】本発明のＨ／Ｕにおけるマイコンの親子通信の制御処理の流れを示すフローチャート図である。
【図８】本発明の光ＲＦ変換伝送システムの動作例を示す説明図である。
【図９】従来の光ＲＦ変換伝送システムの構成ブロック図である。
【図１０】従来の親子通信を実現するためのＭ／ＵとＳ／Ｕの構成ブロック図である。
【符号の説明】
１…ＲＦ基地局（ＢＴＳ）、  ２，２′，２″…ＲＦ親局（Ｍ／Ｕ）、  ３、３′，３″…ＲＦ子局（Ｓ／Ｕ）、  １０…中継器（Ｈ／Ｕ）、  １１，２１，３１…マイコン、  １２…光信号分配器、  １３，２３，３２…光／電気信号変換器、  １４，２５…信号合成器、  １５，２２，３３…電気／光信号変換器、２４…信号分配器、  ２５…信号合成器、  ２９…ユニット選択ＳＷ
【図１】
0004384373.tif 000002
【図２】
0004384373.tif 000003
【図３】
0004384373.tif 000004
【図４】
0004384373.tif 000005
【図５】
0004384373.tif 000006
【図６】
0004384373.tif 000007
【図７】
0004384373.tif 000008
【図８】
0004384373.tif 000009
【図９】
0004384373.tif 000010
【図１０】
0004384373.tif 000011